(57)【要約】【課題】  パチンコ機において、ガラス板と打玉の衝突音を低減するものとして、ポリビニルブチラール膜を用いた合わせガラスが提案されているが、より効果的に衝突音を低減するパチンコ機用前面板を提供する。【解決手段】  遊戯盤の前方に２枚のガラスを隔設配置したパチンコ機用前面板の、遊戯盤に面した側のガラスに、ポリスチレンとゴム系樹脂のブロック共重合でなる樹脂膜Ａを、透明性を有する熱接着性の樹脂膜Ｂで挟着されてなる中間膜を用いて、ガラス板と透明体とを積層した積層ガラスを用いる。樹脂膜Ａには水添スチレン・イソプレン・ブタジエンブロック共重合体を、樹脂膜Ｂには、可塑化されたポリビニルアセタール系樹脂、エチレン-酢酸ビニル共重合体を主体とした変性物、エチレン-(メタ)アクリル酸エステル共重合体を主体とした変性物、ウレタン系重合体、塩化ビニル重合体を主体とした変性物の中から選ばれる樹脂を用いる。【選択図】  図３
2007136057.tif 000002
【特許請求の範囲】
【請求項１】
遊戯盤の前方に２枚のガラスを隔設配置したパチンコ機用前面板において、遊戯盤に面した側のガラスが、ガラス板と透明体とを中間膜で積層してなる積層ガラスであり、該中間膜が、ポリスチレンとゴム系樹脂のブロック共重合でなる樹脂膜Ａを、透明性を有する熱接着性の樹脂膜Ｂで挟着されてなる中間膜であることを特徴とするパチンコ機用前面板。
【請求項２】
樹脂膜Ａが水添スチレン・イソプレン・ブタジエンブロック共重合体でなることを特徴とする請求項１に記載のパチンコ機用前面板。
【請求項３】
樹脂膜Ｂが、可塑化されたポリビニルアセタール系樹脂、エチレン-酢酸ビニル共重合体を主体とした変性物、エチレン-(メタ)アクリル酸エステル共重合体を主体とした変性物、ウレタン系重合体、塩化ビニル重合体を主体とした変性物の中から選ばれる樹脂でなることを特徴とする請求項１または請求項２のいずれかに記載のパチンコ機用前面板。
【発明の詳細な説明】
【技術分野】
【０００１】
本発明はパチンコ機において遊戯盤を透視するものであって、複層ガラス構造からなるパチンコ機用前面板に関する。
【背景技術】
【０００２】
従来パチンコ機用前面板として複層ガラスを使用することは公知であり、それにより磁石による打玉の進行経路を変更する等の不正行為を防止すること、内側ガラスに打玉が衝突する際に生ずる騒音を複層ガラス構造により抑制すること等の狙いがあるが、前記騒音の抑制には不充分である。
【０００３】
騒音抑制のために、遊戯盤に面する側に透明樹脂層を配したものは、打玉の衝突音を弾力性のある樹脂で低減することを狙いとするものであるが、樹脂の損耗が著しく実用には供し得ない。
【０００４】
特許文献１には、二枚のガラス板を、厚み０．２ないし１ｍｍのエチレンビニルアセテート系、ポリビニルアセタール系、またはポリビニルクロライド系樹脂からなる樹脂接着層を介して貼着した、合せガラスを用いることが開示されている。
【０００５】
又特許文献２には、特許文献１に開示されている２．５ＫＨｚ〜６ＫＨｚの周波数の音を抑制するものとして、厚みが１．０〜１．８ｍｍの２枚のガラスを、厚みが０．６１〜０．９１ｍｍの中間膜で合わせたものを用いることが開示されている。
【０００６】
特許文献２に開示されている合わせガラスの構成は、特許文献１に開示されている合わせガラスを、周波数２．５ＫＨｚ〜６ＫＨｚの音の遮音性が良くなるように設計したにすぎず、合わせガラスそのものの遮音性能を向上させたものではない。
【特許文献１】特開平７−２４１２０号公報
【特許文献２】特開２００５−２５５４５９号公報
【発明の開示】
【発明が解決しようとする課題】
【０００７】
ガラス板と打玉の衝突音を効果的に低減するパチンコ機用前面板を提供する。
【課題を解決するための手段】
【０００８】
本発明のパチンコ機用前面板は、遊戯盤の前方に２枚のガラスを隔設配置したパチンコ機用前面板において、遊戯盤に面した側のガラスが、ガラス板と透明体とを中間膜で積層してなる積層ガラスであり、該中間膜が、ポリスチレンとゴム系樹脂のブロック共重合でなる樹脂膜Ａを、透明性を有する熱接着性の樹脂膜Ｂで挟着されてなる中間膜であることを特徴とするパチンコ機用前面板である。
【０００９】
また、本発明のパチンコ機用前面板は、前記パチンコ機用前面板において、樹脂膜Ａが水添スチレン・イソプレン・ブタジエンブロック共重合体でなることを特徴とするパチンコ機用前面板である。
【００１０】
また、本発明のパチンコ機用前面板は、前記パチンコ機用前面板において、樹脂膜Ｂが、可塑化されたポリビニルアセタール系樹脂、エチレン-酢酸ビニル共重合体を主体とした変性物、エチレン-(メタ)アクリル酸エステル共重合体を主体とした変性物、ウレタン系重合体、塩化ビニル重合体を主体とした変性物の中から選ばれる樹脂でなることを特徴とするパチンコ機用前面板である。
【発明の効果】
【００１１】
本発明のパチンコ機用前面板は、遊戯中の遊技盤と打玉との衝突音、あるいはガラス板と打玉との衝突音を、効果的に遮音する。
【発明を実施するための最良の形態】
【００１２】
図１は、本願発明のパチンコ遊技機用前面板３が用いられる、パチンコ遊技機１の概略を示すものである。
【００１３】
図２は、パチンコ遊技機１のａ−ａ´の概略水平断面図である。パチンコ遊技機用前面板３は、主に、ガラス収納枠８、８´、内側ガラス板９および外側ガラス板１０で構成される。内側ガラス板９には、断面が図３に示すような、３層構成の中間膜２６で、ガラス２１と透明板２２とを積層した積層ガラス２６を用いる。内側ガラス９を構成するガラス２１は、パチンコ遊技機１の遊技盤２に面して配設されることが好ましい。
【００１４】
透明体２２には、ガラス、透明樹脂板、あるいは、透明樹脂フィルムを用いることができる。
【００１５】
ガラス２１には、フロート板ガラスが好適に用いられる。また、透明体２２に用いるガラスには、フロート板ガラスが好適であり、透明樹脂板としては、ポリカーボネイト、アクリル、ポリエステル等の透明な樹脂が好適であり、透明樹脂フィルムとしては、ポリエステル、ポリエチレン等を好適に用いることができる。
【００１６】
ガラス２１および透明体２２の厚みは１ｍｍ〜３ｍｍの範囲にあって、ガラス２１の厚みと透明体２２の厚みとのの合計は、２ｍｍ〜４ｍｍ以下とすることが好ましい。
【００１７】
１ｍｍより薄いガラスあるいは透明体では、強度的な問題が生じ留恐れがあり、合計の厚みが４ｍｍを越えると、厚くなりすぎて、前面板に用いることが困難となるためである。
【００１８】
ガラス２１と透明体２２とは、中間膜２６によって接着される。中間膜２６は、ポリスチレンとゴム系樹脂のブロック共重合でなる樹脂膜Ａが、熱接着性樹脂膜Ｂで挟着されたものである。
【００１９】
熱接着性樹脂膜Ｂには、可塑化されたポリビニルアセタール系樹脂、エチレン-酢酸ビニル共重合体を主体とした変性物、エチレン-(メタ)アクリル酸エステル共重合体を主体とした変性物、ウレタン系重合体、塩化ビニル重合体を主体とした変性物の中から選ばれる樹脂が好適に用いられる。
【００２０】
中間膜２６は厚みが０．１ｍｍから１ｍｍの範囲にあることが好ましい。０．１ｍｍより薄くすると、効果的な遮音性能が得られず、また、１ｍｍより厚くしても、遮音性能がほとんど向上しないためである。
【実施例】
【００２１】
以下実施例と比較例を例示して本発明の作用効果を説明する。
【００２２】
実施例
図３に示す、ガラス２１および透明体２２には、ともに厚さ２ｍｍ、サイズ３００ｍｍ×３００ｍｍのフロート板ガラスを用いた。
【００２３】
熱接着性樹脂膜Ｂ（２３、２５）には、厚み０．０３ｍｍのケン化エチレン−酢酸ビニル共重合体を主体とした樹脂（東ソー・ニッケミ株式会社製、商品名メルセンＧ７０５５）を用い、樹脂膜Ａ（２４）には、ＡＳＴＭ  Ｄ１２３８  に準拠するメルトフローレートが２ｇ／１０ｍｉｎのポリスチレンを１２重量％、イソプレン・ブタジエンを８８重量％とした、水添スチレン・イソプレン・ブタジエンブロック共重合体を用い、熱接着性樹脂膜Ｂ（２３、２５）の間に樹脂膜Ａ（２４）を成形して、３層構成の厚みが０．２５ｍｍの中間膜２６を作製した。
【００２４】
厚さ２ｍｍ、サイズ３００ｍｍ×３００ｍｍの２枚のフロート板ガラスを中間膜２６により、オートクレーブで温度１３０℃、圧力１．２×１０6Ｐａ／ｍ2の加熱・加圧処理を行い、積層ガラスを作製し、実施例とした。
【００２５】
比較例１
図４に示すような断面図の合わせガラスを、実施例で用いたガラスと同じ厚み・サイズのフロート板ガラス４１、４３を、厚さ０．７６ｍｍのポリビニルブチラール膜４２を用いて作製し、比較例１の合わせガラスとした。
【００２６】
比較例１の合わせガラスの作製も、オートクレーブを用いて、温度１３０℃、圧力１．２×１０6Ｐａ／ｍ2の加熱加圧条件で行った。
【００２７】
比較例２
遮音性能を比較するために、厚み４ｍｍ、サイズ３００ｍｍ×３００ｍｍのフロート板ガラスを比較例２とした。
【００２８】
実施例、比較例１および比較例２の遮音性能を、図５に示す方法で測定した。枠３５で試料３６を支持し、試料３６の中央部の上方ｄ１＝２００ｍｍの高さからパチンコ玉３１を落下させ、試料３６の中央部の下方ｄ２＝５０ｍｍに設置したマイクロフォン３２で、パチンコ玉３２が試料３６に衝突したときの音を拾い、衝突したときの音圧レベルを、精密騒音計と１／３周波数分析器で測定した。
【００２９】
試料３６に、実施例、比較例１または比較例２を設置し、測定した結果が図６である。
【００３０】
図６の結果から、比較例１の合わせガラスは、比較例２の単板よりも音圧レベルが低く、遮音性の良いことが示されているが、本発明に用いる実施例の積層ガラスは、比較例１の合わせガラスよりもさらに低い音圧レベルであった。従って、本発明のパチンコ機用前面板は高性能の遮音性を有していることが確認された。
【図面の簡単な説明】
【００３１】
【図１】パチンコ機の概略図である。
【図２】パチンコ遊技機前面板の概略水平断面図である。
【図３】本発明のパチンコ遊技機用前面板に用いる積層ガラスの断面図である。
【図４】比較例の合わせガラスの構成を示す断面図である。
【図５】評価方法を示す概略図である。
【図６】実施例と比較例の評価結果を示すグラフ。
【符号の説明】
【００３２】
１        パチンコ遊技機
２        遊技盤
３        前面板
４        操作ハンドル
５、５´        障害釘
６、６´        遊技盤取付枠
７、７´        外枠
８、８´        ガラス収納枠
９        内側ガラス
１０        外側ガラス
１１        打玉落下空間
２０        積層ガラス
２１        ガラス板
２２        透明板
２３        熱接着性樹脂膜Ｂ
２４        樹脂膜Ａ
２５        熱接着性樹脂膜Ｂ
３１        パチンコ玉
３２        マイクロフォン
３３        精密騒音計
３４        １／３周波数分析器
３５        試験体支持枠
３６        試験体
【図１】
2007136057.tif 000003
【図２】
2007136057.tif 000004
【図３】
2007136057.tif 000005
【図４】
2007136057.tif 000006
【図５】
2007136057.tif 000007
【図６】
2007136057.tif 000008